(57)【要約】【課題】  輸送コンテナの床材に破損部が発生しても床材の破損部から流出した液体が輸送機械の床材に滴下するのを防止することである。【解決手段】  コンテナの床材３を一定方向の凹凸条３１，３２に設け、この凹凸条床材３の凹部３１に所定間隔をおいて液体流出穴４を設けるとともにこの凹凸条床材の下部に液体保留容器５を設けた輸送コンテナ６である。【選択図】  図３
2005126134.tif 000002
【特許請求の範囲】
【請求項１】
コンテナの床材を一定方向の凹凸条に設け、該凹凸条床材の凹部に所定間隔をおいて液体流出穴を設けるとともに該凹凸条床材の下部に液体保留容器を設けたことを特徴とする輸送コンテナ。
【請求項２】
液体保留容器体が、輸送コンテナから引き出し可能に設けた請求項１記載の輸送コンテナ。
【請求項３】
液体保留容器が、液体保留容器の底壁の上に液体保留マットを設けた請求項１又は請求項２記載の輸送コンテナ。
【請求項４】
液体保留容器が、液体保留容器の底壁の上に、液体接触により変色する液体保留マットを、設けた請求項１又は請求項２記載の輸送コンテナ。
【請求項５】
液体保留容器が、液体保留容器の底壁の上に、液体接触により発色する液体保留マットを、設けた請求項１又は請求項２記載の輸送コンテナ。
【発明の詳細な説明】
【技術分野】
【０００１】  この発明は、航空機、トラック、船、鉄道貨車などの輸送機械に搭載する輸送用のコンテナに係るものである。
【背景技術】
【０００２】  従来の輸送コンテナは、コンテナ下側には床材が存在するものが一般に使用されている。【０００３】  この従来の輸送コンテナでは、貨物と液体入り容器をコンテナに多数収容してコンテナを繰り返し使用していると、コンテナが貨物の圧力、荷重、振動などによりコンテナの床材に破損が発生する。同様にコンテナに多数収容した貨物と液体入り容器も破損したり、液体が振動などにより容器から溢れたりなどしたりして液体が容器からコンテナ内に流出する。このコンテナ内に流出した液体が更にコンテナの床材に発生した破損部から流出した液体、例えば貨物として魚介類の場合には塩分を含む液体が航空機などの輸送機械の金属製床材に滴下するために液体に含まれる塩分により輸送機械の金属製床材が老化しやすいという問題点とともに液体滴下により汚れた輸送機械の金属製床材を清掃しなければならないとい問題点があった。
【特許文献】  特開平８−２４４８７８
【発明の開示】
【発明が解決しようとする課題】
【０００４】  この発明は、従来の輸送コンテナが有するこれらの問題点を解消することであり、輸送コンテナの床材に例え破損部が発生し、この輸送コンテナの床材の破損部から流出した液体が航空機などの輸送機械の金属製床材に滴下するのを防止することなどである。
【問題を解決するための手段】
【０００５】  この発明の輸送コンテナは、コンテナの床材を一定方向の凹凸条に設け、この凹凸条床材の凹部に所定間隔をおいて液体流出穴を設けるとともにこの凹凸条床材の下部に液体保留容器を設けたものである。
【発明の効果】
【０００６】  この発明の輸送コンテナは、コンテナの床材を一定方向の凹凸条に設け、この凹凸条床材の凹部に所定間隔をおいて液体流出穴を設けるとともにこの凹凸条床材の下部に液体保留容器を設けたから、コンテナの床材に設けた凹凸条によりコンテナの床面荷重強度を大きくすることができるという効果があるし、この凹凸条がスノコ状であることによりコンテナの下にスノコ状のものを設ける必要がないという効果がある。そしてコンテナの床材に液体流出穴を設けたことにより、このコンテナの床材などに破損部が発生してコンテナに収容した貨物と液体入り容器より漏れた液体は、コンテナの床材の液体流出穴から下部に設けた液体保留容器に、流出して保留することができて、輸送機械の金属製などの床を液体で汚染することがないという効果がある。かつ輸送機械の床は液体で汚染されないために金属製などの床が液体汚染による老化を防止することができるとともに液体汚染による床を清掃する必要がないという効果がある。特に貨物として魚介類を塩分を含む海水や氷水などの液体とともにコンテナで輸送する際は塩害によるこれらの防止などの効果は顕著である。
【０００７】  請求項２の輸送コンテナにおいては、液体保留容器体が輸送コンテナの下部から引き出し可能に設けたから、液体保留容器にコンテナから液体が流出しているか、どうかを点検する際に、液体保留容器をコンテナから引き出して液体流出の有無を簡単に点検することができるとともに比較的簡単に液体除去と清掃を行うことができる。またこの容器に塩分入り液体が流入していた時や塩分入り液体が流入して時間経過にともなって液体が蒸発したために容器に固体塩が固着した時は、容器をコンテナから引き出して清掃ブラシとともに水洗いなどにより容器に固着した固体塩などを比較的簡単に除去し、清掃を行うことができる。
【０００８】  請求項３の輸送コンテナにおいては、液体保留容器の底壁の上に液体保留マットを設けたから、この液体保留マットがコンテナから流出した液体を良く吸収して良く保留することができるし、航空機のようにコンテナを搭載した機体が前後方向や左右方向などに傾斜するのにともなってコンテナが傾斜しても液体保留マットに良く吸収保留された液体がコンテナの液体保留容器から流出するのを防止することができる。
【０００９】  請求項４の輸送コンテナにおいては、液体保留容器の底壁の上に、液体接触により変色する液体保留マットを、設けたから、この液体保留容器にコンテナから液体が流出した時に、この液体保留マットが変色するためにこのマットが変色したことにより目で見て液体流出が発生したことを確認することができるという効果がある。更にこのマットがコンテナから流出した液体を良く吸収して良く保留することができるし、航空機などのようにコンテナを搭載した機体が前後方向や左右方向などに傾斜するのにともなってコンテナが傾斜しても液体保留マットに良く吸収保留された液体がコンテナの液体保留容器から流出するのを防止することができる。
【００１０】  請求項５の輸送コンテナにおいては、液体保留容器の底壁の上に、液体接触により発色する液体保留マットを、設けたから、この液体保留容器にコンテナから液体が流出した時に、この液体保留マットが発色するためにこのマットが発色したことにより目で見て液体流出が発生したことを確認することができるという効果がある。更にこのマットがコンテナから流出した液体を良く吸収して良く保留することができるし、航空機などのようにコンテナを搭載した機体が前後方向や左右方向などに傾斜するのにともなってコンテナが傾斜しても液体保留マットに良く吸収保留された液体がコンテナの液体保留容器から流出するのを防止することができる。
【発明を実施するための最良の形態】
【００１１】  この発明は輸送コンテナの床材として一定方向の凹凸条に設けるとともにこの床材に設けた凹凸条の凹部に液体流出穴を間隔を設け、この凹凸条の床材の下部に液体保留容器を設けた輸送コンテナである。
【実施例１】
【００１２】  図１から図４に図示したように、従来の輸送コンテナと同様に箱形のもので、内部に貨物を収容する本体部１と側壁部２の少なくとも１か所に開閉扉２１を設け、コンテナの床材３は図面上の前後方向に凹凸条３１，３２を設けるとともにこの床材３の凹条３１に一定間隔をおいて液体流出穴４を多数設けて、更にこの凹凸条の床材３の下部に液体保留容器５を引き出し可能に設けた輸送コンテナ６である。この輸送コンテナ６には液体保留容器５の下部にはフォークリフト用開口部７１，７１を２か所に有するコンテナ持上部７を設けたものが図示してある。
【実施例２】
【００１３】  前記実施例１と同様な輸送コンテナの液体保留容器１５の底壁の上に、連続気泡性発泡合成樹脂製の液体保留マット１８を、設けた点（図５図示）だけが実施例１と構成が異なる輸送コンテナである。なお、この実施例２記載の輸送コンテナにおける液体保留容器１５の底壁の上に設ける液体保留マットとして連続気泡性発泡合成樹脂製液体保留マットに代えて、輸送コンテナの液体保留容器の底壁の上に、液体接触により変色する液体保留マットまたは液体接触により発色する液体保留マットを、設けたりなどした構成の輸送コンテナがよい。
【図面の簡単な説明】
【００１４】
【図１】  本発明品の正面図である。
【図２】  同じく拡大横断面図である。
【図３】  同じく拡大縦断面図である。
【図４】  同じく引き出し時の正面図である。
【図５】  他の液体保留容器の拡大縦断面図である。
【符号の説明】
【００１５】    １    本体部
２    側壁部
３    床材
３１  凹条
３２  凸条
４    液体流出穴
５    液体保留容器
６    輸送コンテナ
【図１】
2005126134.tif 000003
【図２】
2005126134.tif 000004
【図３】
2005126134.tif 000005
【図４】
2005126134.tif 000006
【図５】
2005126134.tif 000007